(57)【要約】      （修正有）【課題】患者に関連する治療情報を測定する測定装置を交換することによる治療情報の変化が患者の症状の変化と誤認されるおそれを低くする表示情報生成装置を提供する。【解決手段】表示情報生成装置１は、複数回に亘って測定された治療情報を含む表示情報を表示することを示す表示指示を取得する表示指示取得部２１と、治療情報を測定した測定装置の機種を示す機種情報を取得する機種情報取得部２２と、機種情報に対応する機種が単一であるか否かを判定する機種判定部２３と、機種判定部２３によって機種が単一であると判定されたときに、第１表示形式によって表示される第１表示情報を表示情報として生成し、機種判定部２３によって機種が単一ではないと判定されたときに、第１表示形式と異なる第２表示形式によって表示される第２表示情報を表示情報として生成する表示情報生成部２４と、表示情報を出力する表示情報出力部２５とを有する。【選択図】図３
2020035154.tif 000002
【特許請求の範囲】
【請求項１】
複数回に亘って測定された治療情報を含む表示情報を表示することを示す表示指示を取得する表示指示取得部と、
前記治療情報を測定した測定装置の機種を示す機種情報を取得する機種情報取得部と、
前記機種情報に対応する機種が単一であるか否かを判定する機種判定部と、
前記機種判定部によって前記機種が単一であると判定されたときに、第１表示形式によって表示される第１表示情報を前記表示情報として生成し、前記機種判定部によって前記機種が単一ではないと判定されたときに、前記第１表示形式と異なる第２表示形式によって表示される第２表示情報を前記表示情報として生成する表示情報生成部と、
前記表示情報を出力する表示情報出力部と、
を有することを特徴とする表示情報生成装置。
【請求項２】
前記表示情報は、複数の日にちに亘る治療情報を示す期間比較情報、複数の患者に関連する治療情報を示す患者比較情報、及び所定の期間に亘って測定された治療情報を演算した指標の少なくとも１つを含む、請求項１に記載の表示情報生成装置。
【請求項３】
前記表示情報生成部は、
前記機種判定部によって前記機種が単一ではないと判定されたときに、前記治療情報のそれぞれを測定した機種を、前記治療情報と関連付けて抽出する機種抽出部と、
前記機種抽出部によって抽出された機種毎に、前記治療情報を表示する表示態様が異なるように前記第２表示情報を生成する第２表示情報生成部と、
を有する、請求項２に記載の表示情報生成装置。
【請求項４】
前記表示情報は、前記期間比較情報を含み、
前記表示情報生成部は、前記機種抽出部によって抽出された機種の中で、最新の前記治療情報を測定した測定装置の機種である最新機種を決定する最新機種決定部を更に有し、
前記第２表示情報生成部は、前記最新機種によって測定された前記治療情報を表示し、且つ前記最新機種以外の機種によって測定された前記治療情報を表示しないように、前記第２表示情報を生成する、請求項３に記載の表示情報生成装置。
【請求項５】
前記表示情報生成部は、
前記機種判定部によって前記機種が単一ではないと判定されたときに、何れの機種に関連付けられた前記治療情報を表示するかを選択する表示を示す選択確認情報を出力する選択確認情報出力部と、
何れの機種に関連付けられた前記治療情報を表示するかを示す選択指示を取得する表示指示情報取得部と、を更に有し、
前記第２表示情報生成部は、前記選択指示によって表示されることが示された治療情報を表示し、且つ前記選択指示によって表示されることが示されなかった治療情報を表示しないように、前記第２表示情報を生成する、請求項３に記載の表示情報生成装置。
【請求項６】
複数回に亘って測定された治療情報を含む表示情報を表示することを示す表示指示を取得し、
前記治療情報を測定した測定装置の機種を示す機種情報を取得し、
前記機種情報に対応する機種が単一であるか否かを判定し、
前記機種が単一であると判定されたときに、第１表示形式によって表示される第１表示情報を前記表示情報として生成し、前記機種が単一ではないと判定されたときに、前記第１表示形式と異なる第２表示形式によって表示される第２表示情報を前記表示情報として生成し、
前記表示情報を出力する、
ことを含む、ことを特徴とする表示情報生成方法。
【請求項７】
複数回に亘って測定された治療情報を含む表示情報を表示することを示す表示指示を取得し、
前記治療情報を測定した測定装置の機種を示す機種情報を取得し、
前記機種情報に対応する機種が単一であるか否かを判定し、
前記機種が単一であると判定されたときに、第１表示形式によって表示される第１表示情報を前記表示情報として生成し、前記機種が単一ではないと判定されたときに、前記第１表示形式と異なる第２表示形式によって表示される第２表示情報を前記表示情報として生成し、
前記表示情報を出力する、
処理をコンピュータに実行させる、ことを特徴とする表示情報生成プログラム。
【発明の詳細な説明】
【技術分野】
【０００１】
本発明は、表示情報生成装置、表示情報生成プログラム及びその方法に関する。
【背景技術】
【０００２】
睡眠中に無呼吸を繰り返す病態である睡眠時無呼吸症候群（Sleep Apnea Syndrome、ＳＡＳ）の１つである閉塞型睡眠時無呼吸症候群（Obstructive Sleep Apnea Syndrome、ＯＳＡＳ）が知られている。ＯＳＡＳは、胸部や腹部の呼吸運動が行われているにも関わらず上気道の閉塞のために鼻、及び口での呼吸が無く無呼吸となる病態である。ＯＳＡＳは、持続陽圧呼吸療法（Continuous Positive Airway Pressure、ＣＰＡＰ）装置とも称される測定装置を使用して、在宅治療がされることが知られている（例えば、特許文献１を参照）。ＣＰＡＰ装置が測定した患者に関連する治療情報は、データセンタに配置されるサーバにインターネットを介して送信される。データセンタに配置されるサーバに送信された治療情報は、患者が通院したときに、医療機関端末に表示され、患者の治療を担当する担当医によって確認される。担当医は、例えば、所定の期間に亘って測定された治療情報を医療機関端末に表示させて、患者の症状の経時的な変化を確認する。
【０００３】
特許文献１に記載される技術では、担当医は、患者の自宅に設置されるＣＰＡＰ装置が測定した治療情報を医療機関端末によって確認できるので、患者に適切な医学的指導をすることができる。
【先行技術文献】
【特許文献】
【０００４】
【特許文献１】特開２００５−２８５０３３号公報
【発明の概要】
【発明が解決しようとする課題】
【０００５】
ＯＳＡＳの治療は、比較的長い期間に亘って行われるため、患者の自宅に設置されるＣＰＡＰ装置は、交換されることがある。ＣＰＡＰ装置は、複数の製造業者によって製造さているが、製造業者が異なるＣＰＡＰ装置では、測定する治療情報である指標が異なることがある。また、同一の製造業者が製造したＣＰＡＰ装置であっても、機種が異なるとき指標が異なること、及び同一の指標であっても演算アルゴリズムが異なることがある。また、同一の演算アルゴリズムを使用した同一の指標であっても、機種が異なるときに、機械設計の差により測定する治療情報の値が異なるおそれがある。
【０００６】
患者の自宅に設置されるＣＰＡＰ装置を機種が異なるＣＰＡＰ装置に交換すると、指標及び指標を演算するための演算アルゴリズムがＣＰＡＰ装置を交換する前後で異なるおそれがある。医療機関端末に表示させる表示情報が、指標及び指標を演算するための演算アルゴリズムが異なる治療情報を含むとき、担当医は、指標及び指標を演算するための演算アルゴリズムが異なる治療情報の変化を、患者の症状の変化と誤認するおそれがある。
【０００７】
本発明の目的は、ＣＰＡＰ装置等の患者に関連する治療情報を測定する測定装置を交換することによる治療情報の変化が患者の症状の変化と誤認されるおそれが低い表示情報生成装置を提供することである。
【課題を解決するための手段】
【０００８】
本発明に係る表示情報生成装置は、複数回に亘って測定された治療情報を含む表示情報を表示することを示す表示指示を取得する表示指示取得部と、治療情報を測定した測定装置の機種を示す機種情報を取得する機種情報取得部と、機種情報に対応する機種が単一であるか否かを判定する機種判定部と、機種判定部によって機種が単一であると判定されたときに、第１表示形式によって表示される第１表示情報を表示情報として生成し、機種判定部によって機種が単一ではないと判定されたときに、第１表示形式と異なる第２表示形式によって表示される第２表示情報を表示情報として生成する表示情報生成部と、表示情報を出力する表示情報出力部とを有する。
【０００９】
また、本発明に係る表示情報生成装置は、表示情報は、複数の日にちに亘る治療情報を示す期間比較情報、複数の患者に関連する治療情報を示す患者比較情報、及び所定の期間に亘って測定された治療情報を演算した指標の少なくとも１つを含むことが好ましい。
【００１０】
また、本発明に係る表示情報生成装置では、表示情報生成部は、機種判定部によって機種が単一ではないと判定されたときに、治療情報のそれぞれを測定した機種を、治療情報と関連付けて抽出する機種抽出部と、機種抽出部によって抽出された機種毎に、治療情報を表示する表示態様が異なるように第２表示情報を生成する第２表示情報生成部とを有することが好ましい。
【００１１】
また、本発明に係る表示情報生成装置では、表示情報は、期間比較情報を含み、表示情報生成部は、機種抽出部によって抽出された機種の中で、最新の治療情報を測定した測定装置の機種である最新機種を決定する最新機種決定部を更に有し、第２表示情報生成部は、最新機種によって測定された治療情報を表示し、且つ最新機種以外の機種によって測定された治療情報を表示しないように、第２表示情報を生成することが好ましい。
【００１２】
また、本発明に係る表示情報生成装置では、表示情報生成部は、機種判定部によって機種が単一ではないと判定されたときに、何れの機種に関連付けられた治療情報を表示するかを選択する表示を示す選択確認情報を出力する選択確認情報出力部と、何れの機種に関連付けられた治療情報を表示するかを示す選択指示を取得する表示指示情報取得部と、を更に有し、第２表示情報生成部は、選択指示によって表示されることが示された治療情報を表示し、且つ選択指示によって表示されることが示されなかった治療情報を表示しないように、第２表示情報を生成することが好ましい。
【００１３】
さらに、本発明に係る表示情報生成方法は、複数回に亘って測定された治療情報を含む表示情報を表示することを示す表示指示を取得し、治療情報を測定した測定装置の機種を示す機種情報を取得し、機種情報に対応する機種が単一であるか否かを判定し、機種が単一であると判定されたときに、第１表示形式によって表示される第１表示情報を表示情報として生成し、機種が単一ではないと判定されたときに、第１表示形式と異なる第２表示形式によって表示される第２表示情報を表示情報として生成し、表示情報を出力する、ことを含む。
【００１４】
さらに、本発明に係る表示情報生成プログラムは、複数回に亘って測定された治療情報を含む表示情報を表示することを示す表示指示を取得し、治療情報を測定した測定装置の機種を示す機種情報を取得し、機種情報に対応する機種が単一であるか否かを判定し、機種が単一であると判定されたときに、第１表示形式によって表示される第１表示情報を表示情報として生成し、機種が単一ではないと判定されたときに、第１表示形式と異なる第２表示形式によって表示される第２表示情報を表示情報として生成し、表示情報を出力する、処理をコンピュータに実行させる。
【発明の効果】
【００１５】
本発明に係る表示情報生成装置は、患者に関連する治療情報を測定する測定装置を交換することによる治療情報の変化が患者の症状の変化と誤認されるおそれを低くすることができる。
【図面の簡単な説明】
【００１６】
【図１】実施形態に係る表示情報生成システムによる表示情報生成処理の概要を説明するための図であり、（ａ）は第１状態を示す図であり、（ｂ）は第１状態に続く第２状態を示す図であり、（ｃ）は第２状態に続く第３状態を示す図である。
【図２】第１実施形態に係る表示情報生成装置を有する表示情報生成システムのブロック図であり、（ａ）は第１状態を示す図であり、（ｂ）は第１状態に続く第２状態を示す図である。
【図３】第１実施形態に係る表示情報生成装置のブロック図である。
【図４】図３に示す治療情報テーブルを示す図である。
【図５】図２に示す医療機関端末のブロック図である。
【図６】第１実施形態に係る表示情報生成システムによる表示情報生成処理のシーケンス図である。
【図７】図６に示すＳ１０５のより詳細な処理を示すフローチャートである。
【図８】（ａ）は図７に示すＳ２０３の処理により生成される第１表示情報に対応する画像の一例を示す図であり、（ｂ）は図７に示すＳ２０６の処理により生成される第２表示情報に対応する画像の一例を示す図である。
【図９】（ａ）は図７に示すＳ２０９の処理により生成される第１表示情報に対応する画像の一例を示す図であり、（ｂ）は図７に示すＳ２１０の処理により生成される第２表示情報に対応する画像の一例を示す図である。
【図１０】（ａ）は図７に示すＳ２１３の処理により生成される第１表示情報に対応する画像の一例を示す図であり、（ｂ）は図７に示すＳ２１６の処理により生成される第２表示情報に対応する画像の一例を示す図である。
【図１１】第２実施形態に係る表示情報生成装置のブロック図である。
【図１２】第２実施形態に係る表示情報生成システムによる表示情報生成処理のシーケンス図である。
【図１３】図１２に示すＳ３１０のより詳細な処理を示すフローチャートである。
【図１４】（ａ）は図１３に示すＳ４０３の処理により生成される第１表示情報に対応する画像の一例を示す図であり、（ｂ）は図１３に示すＳ４０５の処理により生成される第２表示情報に対応する画像の一例を示す図であり、（ｃ）は図１３に示すＳ４０５の処理により生成される第２表示情報に対応する画像の他の例を示す図である。
【図１５】（ａ）は図１３に示すＳ４０８の処理により生成される第１表示情報に対応する画像の一例を示す図であり、（ｂ）は図１３に示すＳ４１０の処理により生成される第２表示情報に対応する画像の一例を示す図であり、（ｃ）は図１３に示すＳ４１０の処理により生成される第２表示情報に対応する画像の他の例を示す図である。
【図１６】（ａ）は図１３に示すＳ４１３の処理により生成される第１表示情報に対応する画像の一例を示す図であり、（ｂ）は図１３に示すＳ４１５の処理により生成される第２表示情報に対応する画像の一例を示す図であり、（ｃ）は図１３に示すＳ４１５の処理により生成される第２表示情報に対応する画像の他の例を示す図である。
【図１７】第３実施形態に係る表示情報生成装置のブロック図である。
【図１８】第３実施形態に係る表示情報生成システムによる表示情報生成処理のシーケンス図である。
【図１９】図１８に示すＳ５０５のより詳細な処理を示すフローチャートである。
【図２０】（ａ）は図１８に示すＳ６０３の処理により生成される第１表示情報に対応する画像の一例を示す図であり、（ｂ）は図１８に示すＳ６０５の処理により生成される第２表示情報に対応する画像の一例を示す図である。
【図２１】（ａ）は図１８に示すＳ６０８の処理により生成される第１表示情報に対応する画像の一例を示す図であり、（ｂ）は図１８に示すＳ６１０の処理により生成される第２表示情報に対応する画像の一例を示す図である。
【図２２】（ａ）は図１８に示すＳ６１３の処理により生成される第１表示情報に対応する画像の一例を示す図であり、（ｂ）は図１８に示すＳ６１５の処理により生成される第２表示情報に対応する画像の一例を示す図である。
【発明を実施するための形態】
【００１７】
以下、添付図面を参照して、本発明に係る表示情報生成装置、表示情報生成プログラム及びその方法について詳細に説明する。ただし、本発明の技術的範囲はそれらの実施の形態に限定されず、特許請求の範囲に記載された発明とその均等物に及ぶ点に留意されたい。
【００１８】
（実施形態に係る表示情報生成システムによる表示情報生成処理の概要）
図１は、実施形態に係る表示情報生成システムによる表示情報生成処理の概要を説明するための図であり、図１（ａ）は第１状態を示す図であり、図１（ｂ）は第１状態に続く第２状態を示す図であり、図１（ｃ）は第２状態に続く第３状態を示す図である。図１に示す例では、第１状態において、第１期間に亘って測定装置１０１によって患者に関連する治療情報が測定され、測定装置１０１は、第１期間の最終日に測定装置１０２に交換される。次いで、第２状態において、第２期間に亘って測定装置１０２によって患者に関連する治療情報が測定される。そして、第３状態において、第１期間及び第２期間に亘って測定された治療情報を含む表示情報が医療機関端末１１０に表示され、担当医によって患者の症状が確認される。
【００１９】
図１（ａ）に示す第１状態では、表示情報生成システム１００は、測定装置１０１と、医療機関端末１１０と、表示情報生成装置１とを有し、測定装置１０１等が測定した患者に関連する治療情報を、表示情報生成装置１を介して医療機関端末１１０に表示する。測定装置１０１及び表示情報生成装置１は携帯電話網１２０を介して接続され、医療機関端末１１０及び表示情報生成装置１はインターネット等の通信ネットワーク１３０を介して接続される。
【００２０】
測定装置１０１は、ＣＰＡＰ装置等の患者に関連する治療情報を測定する測定装置であり、測定した治療情報、及び測定した測定日を、測定装置１０１を識別する機種識別子に関連付けて携帯電話網１２０を介して表示情報生成装置１に出力する。機種識別子は、測定装置１０１を製造した製造業者を示す製造業者情報、測定装置１０１の機種を示す機種情報、測定装置１０１のロット番号を示すロット番号情報、及び機種固有の番号であるシリアル番号を示すシリアル番号情報等を含む。なお、機種識別子は、製造業者情報、機種情報、ロット番号情報、及びシリアル番号情報以外の情報を含んでもよく、製造業者情報、機種情報、ロット番号情報、及びシリアル番号情報の全てを含んでいなくてもよい。測定装置１０１は、測定した治療情報を所定の周期毎に表示情報生成装置１に出力する。例えば、測定装置１０１は、１日に１回、所定の出力時刻に治療情報を出力する。図１では、単一の測定装置１０１のみが記載されるが、表示情報生成システム１００は、複数の患者のそれぞれに関連する治療情報が測定され、治療情報を測定する複数の測定装置が接続される。測定装置１０１は、第１期間に亘って患者に関連する治療情報を測定した後に、測定装置１０２に交換される。
【００２１】
医療機関端末１１０は、パーソナルコンピュータ、及びタブレット端末等の表示情報生成装置１が生成した表示情報を表示可能な電子機器であり、病院等の医療機関に設置され、患者の治療を担当する担当医によって操作される。
【００２２】
表示情報生成装置１は、記憶部及び処理部を有するサーバ等の電子計算機であり、測定装置１０１等から入力された治療情報から医療機関端末１１０に表示される表示情報を生成する。表示情報生成装置１は、測定装置１０１から入力された治療情報を、機種識別子と共に入力された日時を示す入力日時情報に関連付けて記憶する。また、表示情報生成装置１は、測定装置１０１を識別する機種識別子を、測定装置１０１から入力された患者識別子に関連付けて記憶する。
【００２３】
図１（ｂ）に示す第２状態では、測定装置１０１は、測定装置１０２に交換される。測定装置１０２以外の表示情報生成システム１００の構成要素は、既に説明しているので、ここでは詳細な説明は省略する。
【００２４】
測定装置１０２は、第１期間の経過後に測定装置１０１から交換された装置であり、測定装置１０１が測定する治療情報と同様な治療情報を測定する装置であるが、機種が測定装置１０１と相違する。一例では、測定装置１０２は、測定装置１０１と製造業者が相違する。他の例では、測定装置１０２は、測定装置１０１と製造業者は同一であるが、測定装置１０１と機種が相違する。例えば、測定装置１０２は、測定装置１０１の後継機種である。測定装置１０２は、測定装置１０１と同様に、測定した治療情報を測定装置１０２を識別する機種識別子に関連付けて通信ネットワーク１３０を介して表示情報生成装置１に出力する。測定装置１０２は、測定装置１０１から交換された後、第２期間に亘って患者に関連する治療情報を測定する。第２期間の最終日は、担当医が患者を診療する日の前日又は当日等の担当医が患者の治療情報を確認するために、表示情報生成装置１が表示情報を生成する日にちである。
【００２５】
図１（ｃ）に示す第３状態では、表示情報生成装置１が生成した表示情報は、医療機関端末１１０に表示される。患者を診断する担当医は、医療機関端末１１０に表示された表示情報１４０に基づいて、患者の症状を診断する。
【００２６】
まず、医療機関端末１１０は、第１期間及び第２期間に亘って測定された治療情報を含む表示情報を表示することを示す表示指示を表示情報生成装置１に出力する。表示情報生成装置１は、医療機関端末１１０から表示指示が入力されると、第１期間及び第２期間に亘って治療情報を測定した測定装置の機種が単一であるか否かを判定する。第１期間では測定装置１０１が治療情報を測定し、第２期間では測定装置１０２が治療情報を測定するので、表示情報生成装置１は、第１期間及び第２期間に亘って治療情報を測定した測定装置の機種が単一ではないと判定する。表示情報生成装置１は、単一の測定装置によって治療情報が測定されたと判定されたときに生成する第１表示形式と異なる第２表示形式によって表示される第２表示情報を表示情報１４０として生成する。
【００２７】
表示情報生成装置１は、第１期間において測定装置１０１によって測定された治療情報１４１の表示態様と、第２期間において測定装置１０２によって測定された治療情報１４２の表示態様とが異なるように第２表示情報を生成する。表示情報生成装置１は、例えば、最新の治療情報を測定した測定装置１０２によって測定された治療情報を表示し、且つ測定装置１０１によって測定された治療情報を表示しないように、第２表示情報を生成する。また、表示情報生成装置１は、担当医が確認するために選択した治療情報を表示し、且つ担当医が選択しなかった治療情報を表示しないように、第２表示情報を生成する。さらに、表示情報生成装置１は、測定装置１０１によって測定された治療情報１４１を第１形式で表示し、且つ測定装置１０２によって測定された治療情報１４２を第１形式と異なる第２形式で表示するように、第２表示情報を生成する。
【００２８】
表示情報生成装置１は、測定装置１０１によって測定された治療情報１４１の表示態様と、測定装置１０２によって測定された治療情報１４２の表示態様とが異なるように第２表示情報を表示情報１４０として生成する。表示情報生成装置１は、交換した前後の測定装置のそれぞれで測定された治療情報を表示態様が異なるように表示情報を生成するので、測定装置を交換することによる治療情報の変化が患者の症状の変化と誤認されるおそれを低くすることができる。
【００２９】
（第１実施形態に係る表示情報生成装置の構成及び機能）
図２は第１実施形態に係る表示情報生成装置を有する表示情報生成システム１００のブロック図であり、図２（ａ）は第１状態を示す図であり、図２（ｂ）は第１状態に続く第２状態を示す図である。
【００３０】
表示情報生成システム１００は、複数の測定装置１０１ａ〜１０１ｎと、医療機関端末１１０ａ〜１１０ｍと、表示情報生成装置１とを有する。表示情報生成システム１００において、測定装置１０１ｂは、第１期間の経過後に測定装置１０２ｂに交換される。測定装置１０２ｂは、測定装置１０１ｂと交換された後に、測定装置１０１ｂが治療情報を測定していた患者の治療情報を第２期間に亘って測定する。複数の測定装置１０１ａ〜１０１ｎ及び測定装置１０２のそれぞれは、基地局１２１ａ〜１２１ｎを介して携帯電話網１２０に接続される。
【００３１】
複数の測定装置１０１ａ〜１０１ｎ及び１０２ｂのそれぞれは、ＣＰＡＰ装置であり、患者に関連する治療情報を測定する。複数の測定装置１０１ａ〜１０１ｎ及び１０２ｂのそれぞれによって測定される治療情報は、合計使用時間、圧力、リーク、及びＡＨＩ等の種々の指標である。治療情報に含まれる合計使用時間は、患者が測定装置を使用した１日当たりの合計時間を示し、圧力は呼吸用気体の圧力を示し、リークはＣＰＡＰ装置のマスクからの漏れ量を示し、ＡＨＩは無呼吸低呼吸指数（Apnea Hypopnea Index）を示す。
【００３２】
複数の測定装置１０１ａ〜１０１ｎ及び１０２ｂのそれぞれは、測定した治療情報を所定の周期毎に表示情報生成装置１に携帯電話網１２０を介して出力する。例えば、複数の測定装置１０１ａ〜１０１ｎ及び１０２ｂのそれぞれは、１日に１回、所定の出力時刻に治療情報を出力する。複数の測定装置１０１ａ及び１０１ｃ〜１０１ｎのそれぞれは、第１期間及び第２期間に亘って患者に関連する治療情報を測定する。測定装置１０１ｂは、第１期間に亘って患者に関連する治療情報を測定した後に、測定装置１０２ｂに交換される。測定装置１０２ｂは、第２期間に亘って患者に関連する治療情報を測定する。
【００３３】
図３は、表示情報生成装置１のブロック図である。
【００３４】
表示情報生成装置１は、電話網通信部１１と、通信網通信部１２と、サーバ記憶部１３と、サーバ入力部１４と、サーバ出力部１５と、サーバ処理部２０とを有するサーバである。電話網通信部１１、通信網通信部１２、サーバ記憶部１３、サーバ入力部１４、サーバ出力部１５、及びサーバ処理部２０は、バス１６を介して互いに接続される。
【００３５】
電話網通信部１１は、ＳＬＩＰ及びＰＰＯＰ等のデータリンクプロトコルを実行可能な通信インターフェース回路を有する。電話網通信部１１は、携帯電話網１２０を介して複数の測定装置１０１ａ〜１０１ｎ及び１０２ｂ等と通信を行う。
【００３６】
通信網通信部１２は、イーサネット（登録商標）などの有線の通信インターフェース回路を有する。通信網通信部１２は、通信ネットワーク１３０を介して医療機関端末１１０ａ〜１１０ｍ等と通信を行う。
【００３７】
サーバ記憶部１３は、例えば、半導体記憶装置、磁気テープ装置、磁気ディスク装置、又は光ディスク装置のうちの少なくとも一つを備える。サーバ記憶部１３は、サーバ処理部２０での処理に用いられるオペレーティングシステムプログラム、ドライバプログラム、アプリケーションプログラム、データ等を記憶する。例えば、サーバ記憶部１３は、複数の測定装置１０１ａ〜１０１ｎ及び１０２ｂのそれぞれから取得した治療情報から表示情報を生成する表示情報生成処理をサーバ処理部２０に実行させるための表示情報生成プログラム等を記憶する。表示情報生成プログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部１３にインストールされてもよい。また、サーバ記憶部１３は、治療情報テーブル１３１等の表示情報生成処理で使用される種々のデータを記憶する。また、サーバ記憶部１３は、患者の氏名と、患者が使用する測定装置を識別する機種識別子とを患者を識別する患者識別子に関連付けて記憶する。
【００３８】
図４は、治療情報テーブル１３１を示す図である。
【００３９】
治療情報テーブル１３１は、患者の指名、患者が使用する測定装置を識別する機種識別子、治療情報を測定した測定日、並びに合計使用時間、圧力、リーク、及びＡＨＩ等の指標である治療情報を、患者を識別する患者識別子に関連付けて記憶する。患者識別子「Ｐｘｘｘｘ１」に対応する患者の氏名は「加藤一郎」であり、治療情報は２０１７年３月５日から２０１８年７月３０日まで取得されている。患者識別子「Ｐｘｘｘｘ２」に対応する患者の氏名は「小林三子」であり、治療情報は２０１６年１２月２３日から２０１８年７月３０日まで取得されている。
【００４０】
患者識別子「Ｐｘｘｘｘ１」に関連付けられる機種ＩＤは機種「Ａ０１」、シリアル番号「ＳＡｘｘｘ１」のみであるので、患者識別子「Ｐｘｘｘｘ１」に対応する患者「加藤一郎」の治療情報は、単一の測定装置により測定されている。一方、患者識別子「Ｐｘｘｘｘ２」に関連付けられる機種ＩＤは機種「Ｂ０１」、シリアル番号「ＳＢｘｘｘ２」及び機種「Ａ０１」、シリアル番号「ＳＡｘｘｘ２」の２つである。患者識別子「Ｐｘｘｘｘ２」に対応する患者「小林三子」の治療情報は、機種「Ｂ０１」、シリアル番号「ＳＢｘｘｘ２」及び機種「Ａ０１」、シリアル番号「ＳＡｘｘｘ２」のそれぞれで識別される２つの測定装置により測定される。患者識別子「Ｐｘｘｘｘ２」に対応する患者「小林三子」の治療情報は、２０１６年１２月２３日から２０１８年７月１９日までの間、機種「Ｂ０１」、シリアル番号「ＳＢｘｘｘ２」で識別される測定装置により測定される。また、患者識別子「Ｐｘｘｘｘ２」に対応する患者「小林三子」の治療情報は、２０１８年７月２０日から２０１８年７月３０日までの間、機種「Ａ０１」、シリアル番号「ＳＡｘｘｘ２」で識別される測定装置により測定される。
【００４１】
治療情報テーブル１３１は、測定装置から送信される機種識別子、測定日及び治療情報と、サーバ記憶部１３に記憶される患者識別子及び機種識別子とを、機種識別子を介して結合することで生成される。
【００４２】
サーバ入力部１４は、データの入力が可能であればどのようなデバイスでもよく、例えば、タッチパネル、キーボード等である。オペレータは、サーバ入力部１４を用いて、文字、数字、記号等を入力することができる。サーバ入力部１４は、オペレータにより操作されると、その操作に対応する信号を生成する。そして、生成された信号は、オペレータの指示として、サーバ処理部２０に供給される。
【００４３】
サーバ出力部１５は、映像や画像等の表示が可能であればどのようなデバイスでもよく、例えば、液晶ディスプレイ又は有機ＥＬ（Electro−Luminescence）ディスプレイ等である。サーバ出力部１５は、サーバ処理部２０から供給された映像データに応じた映像や、画像データに応じた画像等を表示する。また、サーバ出力部１５は、紙などの表示媒体に、映像、画像又は文字等を印刷する出力装置であってもよい。
【００４４】
サーバ処理部２０は、一又は複数個のプロセッサ及びその周辺回路を有する。サーバ処理部２０は、表示情報生成装置１の全体的な動作を統括的に制御するものであり、例えば、ＣＰＵである。サーバ処理部２０は、サーバ記憶部１３に記憶されているプログラム（ドライバプログラム、オペレーティングシステムプログラム、アプリケーションプログラム等）に基づいて処理を実行する。また、サーバ処理部２０は、複数のプログラム（アプリケーションプログラム等）を並列に実行できる。
【００４５】
サーバ処理部２０は、表示指示取得部２１と、機種情報取得部２２と、機種判定部２３と、表示情報生成部２４と、表示情報出力部２５とを有する。表示情報生成部２４は、情報判定部２４０と、第１表示情報生成部２４１と、機種抽出部２４２と、最新機種決定部２４３と、第２表示情報生成部２４４とを有する。これらの各部は、サーバ処理部２０が備えるプロセッサで実行されるプログラムにより実現される機能モジュールである。あるいは、これらの各部は、ファームウェアとして表示情報生成装置１に実装されてもよい。
【００４６】
図５は、医療機関端末１１０ａのブロック図である。医療機関端末１１０ｂ〜医療機関端末１１０ｍのそれぞれは、医療機関端末１１０ａと同様の構成及び機能を有するので、ここでは詳細な説明は省略する。
【００４７】
医療機関端末１１０ａは、端末通信部１１１と、端末記憶部１１２と、端末入力部１１３と、端末出力部１１４と、端末処理部１１５とを有する端末装置である。端末通信部１１１、端末記憶部１１２、端末入力部１１３、端末出力部１１４、及び端末処理部１１５は、バス１１９を介して互いに接続される。
【００４８】
端末通信部１１１は、イーサネット（登録商標）などの有線の通信インターフェース回路を有する。端末通信部１１１は、通信ネットワーク１３０を介して表示情報生成装置１等と通信を行う。
【００４９】
端末記憶部１１２は、例えば、半導体記憶装置、磁気テープ装置、磁気ディスク装置、又は光ディスク装置のうちの少なくとも一つを備える。端末記憶部１１２は、端末処理部１１５での処理に用いられるオペレーティングシステムプログラム、ドライバプログラム、アプリケーションプログラム、データ等を記憶する。例えば、端末記憶部１１２は表示情報生成装置１から取得した表示情報を表示する表示処理を端末処理部１１５に実行させるための表示プログラム等を記憶する。表示プログラムは、例えばＣＤ−ＲＯＭ、ＤＶＤ−ＲＯＭ等のコンピュータ読み取り可能な可搬型記録媒体から、公知のセットアッププログラム等を用いて端末記憶部１１２にインストールされてもよい。
【００５０】
端末入力部１１３は、データの入力が可能であればどのようなデバイスでもよく、例えば、タッチパネル、キーボード等である。担当医は、端末入力部１１３を用いて、文字、数字、記号等を入力することができる。端末入力部１１３は、担当医により操作されると、その操作に対応する信号を生成する。そして、生成された信号は、担当医の指示として、端末処理部１１５に供給される。
【００５１】
端末出力部１１４は、映像や画像等の表示が可能であればどのようなデバイスでもよく、例えば、液晶ディスプレイ又は有機ＥＬ（Electro−Luminescence）ディスプレイ等である。端末出力部１１４は、サーバ処理部２０から供給された映像データに応じた映像や、画像データに応じた画像等を表示する。また、端末出力部１１４は、紙などの表示媒体に、映像、画像又は文字等を印刷する出力装置であってもよい。
【００５２】
端末処理部１１５は、一又は複数個のプロセッサ及びその周辺回路を有する。端末処理部１１５は、医療機関端末１１０ａの全体的な動作を統括的に制御するものであり、例えば、ＣＰＵである。端末処理部１１５は、端末記憶部１１２に記憶されているプログラム（ドライバプログラム、オペレーティングシステムプログラム、アプリケーションプログラム等）に基づいて処理を実行する。また、端末処理部１１５は、複数のプログラム（アプリケーションプログラム等）を並列に実行できる。
【００５３】
端末処理部１１５は、指示出力部１１６と、情報取得部１１７と、表示指示部とを有する。これらの各部は、端末処理部１１５が備えるプロセッサで実行されるプログラムにより実現される機能モジュールである。あるいは、これらの各部は、ファームウェアとして医療機関端末１１０ａに実装されてもよい。
【００５４】
（第１実施形態に係る表示情報生成システムによる表示情報生成処理）
図６は、表示情報生成システム１００による表示情報生成処理のシーケンス図である。図６に示す表示情報生成処理は、表示情報生成装置１と医療機関端末１１０ａとの間で実行される場合を示すが、表示情報生成装置１と医療機関端末１１０ｂ〜１１０ｍとの間で実行される場合も、同様な処理が実行される。
【００５５】
まず、指示出力部１１６は、担当医による端末入力部１１３による入力に応じた表示指示を表示情報生成装置１に出力する（Ｓ１０１）。表示指示は、複数回に亘って測定された治療情報を含む表示情報を表示することを示すものであり、種々の指示を含む。表示指示は、表示情報に含まれる治療情報が何れの指標であるかを示す指示を含む。また、表示指示は、表示情報に含まれる治療情報が何れの患者識別子に関連付けられたものであるかを示す指示を含む。また、表示指示は、表示情報が、複数の日にちに亘る治療情報を示す期間比較情報、複数の患者に関連する治療情報を示す患者比較情報、及び所定の期間に亘って測定された治療情報を演算した指標の何れかであるかを示す指示を含む。また、表示指示は、表示情報に含まれる治療情報が測定された期間、及び治療情報に関連付けられた患者に対応する患者識別子を含む。また、表示指示は、表示情報が、所定の期間に亘って測定された指標の平均値、標準偏差等の測定された指標を演算した指標を表示することを示す指示を含む。
【００５６】
次いで、表示指示取得部２１は、Ｓ１０１の処理によって指示出力部１１６から出力された表示指示を取得する（Ｓ１０２）。次いで、機種情報取得部２２は、機種テーブル１３１を参照して、表示指示において表示することが指示された治療情報を測定した測定装置の機種を示す機種情報を取得する（Ｓ１０３）。例えば、表示情報に含まれる治療情報が患者識別子「Ｐｘｘｘｘ１」に関連付けられたものであるとき、機種情報取得部２２は、機種識別子「Ａ０１」を示す機種情報を取得する。また、表示情報に含まれる治療情報が患者識別子「Ｐｘｘｘｘ２」に関連付けられたものであるとき、機種情報取得部２２は、機種識別子「Ａ０１」及び機種識別子「Ｂ０１」を示す機種情報を取得する。また、表示情報に含まれる治療情報が患者識別子「Ｐｘｘｘｘ２」及び機種識別子「Ａ０１」を示す機種情報に関連付けられたものであるとき、機種情報取得部２２は、機種識別子「Ａ０１」を示す機種情報を取得する。
【００５７】
機種判定部２３は、表示指示が期間比較情報を含むとき、表示情報に含まれる治療情報が測定された期間において治療情報を測定した測定装置の機種を示す機種情報を取得する。また、機種判定部２３は、表示指示が患者比較情報を含むとき、表示情報に含まれる患者に関連付けられた治療情報を測定した測定装置の機種を示す機種情報を取得する。また、機種判定部２３は、表示指示が治療情報を演算した指標を含むとき、表示情報に含まれる治療情報が測定された期間において、表示情報に含まれる患者に関連付けられた治療情報を測定した測定装置の機種を示す機種情報を取得する。
【００５８】
次いで、機種判定部２３は、Ｓ１０３の処理で取得された機種情報に対応する機種が単一であるか否かを判定する（Ｓ１０４）。表示情報に含まれる治療情報が患者識別子「Ｐｘｘｘｘ１」に関連付けられたものであるとき、機種判定部２３は、Ｓ１０３の処理で取得された機種情報に対応する機種は、「Ａ０１」のみであり、単一であると判定する。一方、表示情報に含まれる治療情報が患者識別子「Ｐｘｘｘｘ２」に関連付けられたものであるとき、機種判定部２３は、Ｓ１０３の処理で取得された機種情報に対応する機種は、「Ａ０１」及び「Ｂ０１」であり、単一ではないと判定する。
【００５９】
機種判定部２３は、Ｓ１０３の処理で取得された機種情報に応じた測定日及び患者等の範囲で、機種情報に対応する機種が単一であるか否かを判定する。例えば、機種判定部２３は、表示指示が期間比較情報を含むとき、表示情報に含まれる治療情報が測定された期間において治療情報を測定した測定装置の機種が単一であるか否かを判定する。また、機種判定部２３は、表示指示が患者比較情報を含むとき、表示情報に含まれる患者に関連付けられた治療情報を測定した測定装置の機種が単一であるか否かを判定する。また、機種判定部２３は、表示指示が治療情報を演算した指標を含むとき、表示情報に含まれる治療情報が測定された期間において、表示情報に含まれる患者に関連付けられた治療情報を測定した測定装置の機種が単一であるか否かを判定する。
【００６０】
次いで、表示情報生成部２４は、Ｓ１０４の処理における機種判定部２３の判定結果に応じて、表示情報を生成する（Ｓ１０５）。表示情報生成部２４は、Ｓ１０４の処理において機種判定部２３によって機種が単一であると判定されたときに、第１表示形式によって表示される第１表示情報を表示情報として生成する。一方、表示情報生成部２４は、Ｓ１０４の処理において機種判定部２３によって機種が単一ではないと判定されたときに、第１表示形式と異なる第２表示形式によって表示される第２表示情報を表示情報として生成する。
【００６１】
次いで、表示情報出力部２５は、Ｓ１０５の処理において表示情報生成部２４によって生成された表示情報を出力する（Ｓ１０６）。すなわち、表示情報出力部２５は、表示情報を医療機関端末１１０ａに送信する。次いで、情報取得部１１７は、Ｓ１０６の処理によって表示情報出力部２５から出力された表示情報を取得する（Ｓ１０７）。そして、表示指示部１１８は、Ｓ１０７の処理によって情報取得部１１７によって取得された表示情報を含む表示指示を端末出力部１１４に出力する（Ｓ１０８）。端末出力部１１４は、表示情報に対応する画像を表示する。
【００６２】
図７は、Ｓ１０５のより詳細な処理を示すフローチャートである。
【００６３】
まず、情報判定部２４０は、Ｓ１０２の処理において取得された表示指示に、表示情報が期間比較情報を含むことを示す指示が含まれているか否かを判定する（Ｓ２０１）。情報判定部２４０は、表示情報が期間比較情報を含むことを示す指示が含まれていると判定する（Ｓ２０１−ＹＥＳ）と、Ｓ１０４の処理における機種判定部２３の判定結果が測定装置の機種が単一であることを示すか否かを判定する（Ｓ２０２）。情報判定部２４０は、Ｓ１０４の処理における機種判定部２３による判定結果が、表示情報に含まれる治療情報が測定された期間において治療情報を測定した測定装置の機種が単一であることを示すか否かを判定する。
【００６４】
Ｓ２０２の処理において測定装置の機種が単一であることを示すと判定される（Ｓ２０２−ＹＥＳ）と、第１表示情報生成部２４１は、Ｓ１０２の処理において取得された表示指示に基づいて、第１表示情報を生成する（Ｓ２０３）。次いで、処理はＳ２０７に進む。
【００６５】
Ｓ２０２の処理において測定装置の機種が単一ではないことを示すと判定される（Ｓ２０２−ＮＯ）と、機種抽出部２４２は、治療情報のそれぞれを測定した機種を、治療情報と関連付けて抽出する（Ｓ２０４）。次いで、最新機種決定部２４３は、機種抽出部２４２によって抽出された機種の中で、最新の治療情報を測定した測定装置の機種である最新機種を決定する（Ｓ２０５）。次いで、第２表示情報生成部２４４は、機種抽出部２４２によって抽出された機種毎に、治療情報を表示する表示態様が異なるように第２表示情報を生成する（Ｓ２０６）。具体的には、第２表示情報生成部２４４は、最新機種によって測定された治療情報を表示し、且つ最新機種以外の機種によって測定された治療情報を表示しないように、第２表示情報を生成する。次いで、処理はＳ２０７に進む。
【００６６】
図８（ａ）はＳ２０３の処理により生成される第１表示情報に対応する画像の一例を示す図であり、図８（ｂ）はＳ２０６の処理により生成される第２表示情報に対応する画像の一例を示す図である。
【００６７】
第１表示情報８０１は、患者識別子「Ｐｘｘｘｘ１」で識別される「加藤一郎」の「圧力」の２０１８年７月１日から２０１８年７月３０日までの経時変化を示す。第１表示情報８０１は、Ｓ１０２の処理において取得された表示指示に基づいて、生成される。
【００６８】
第２表示情報８０２は、患者識別子「Ｐｘｘｘｘ２」で識別される「小林三子」の「圧力」の２０１８年７月１日から２０１８年７月３０日までの経時変化を示す。機種抽出部２４２は、患者識別子「Ｐｘｘｘｘ２」で識別される「小林三子」の２０１８年７月１日から２０１８年７月３０日までの治療情報のそれぞれを測定した機種を、「圧力」と関連付けて抽出する。機種抽出部２４２は、機種テーブル１３１を参照して、機種識別子「Ｂ０１」を２０１８年７月１日から２０１８年７月１９日までの「圧力」に関連付けて抽出する。併せて、機種抽出部２４２は、機種テーブル１３１を参照して、機種識別子「Ａ０１」を２０１８年７月２０日から２０１８年７月３０日までの「圧力」に関連付けて抽出する。最新機種決定部２４３は、最新の日にちである２０１８年７月３０日に関連付けられて抽出された機種識別子「Ａ０１」に対応する測定装置１０２ｂを最新機種に決定する。第２表示情報生成部２４４は、機種識別子「Ａ０１」に対応する測定装置１０２ｂによって測定された２０１８年７月２０日から２０１８年７月３０日までの「圧力」を表示するように、第２表示情報８０２を生成する。
【００６９】
情報判定部２４０は、表示情報が期間比較情報を含むことを示す指示が含まれていないと判定する（Ｓ２０１−ＮＯ）と、Ｓ１０２の処理において取得された表示指示に、表示情報が患者比較情報を含むことを示す指示が含まれているか否かを判定する（Ｓ２０７）。情報判定部２４０は、表示情報が患者比較情報を含むことを示す指示が含まれていると判定する（Ｓ２０７−ＹＥＳ）と、Ｓ１０４の処理における機種判定部２３の判定結果が測定装置の機種が単一であることを示すか否かを判定する（Ｓ２０８）。情報判定部２４０は、Ｓ１０４の処理における機種判定部２３による判定結果が、表示情報に含まれる患者に関連付けられた治療情報を測定した測定装置の機種が単一であることを示すか否かを判定する。
【００７０】
Ｓ２０８の処理において測定装置の機種が単一であることを示すと判定される（Ｓ２０８−ＹＥＳ）と、第１表示情報生成部２４１は、Ｓ１０２の処理において取得された表示指示に基づいて、第１表示情報を生成する（Ｓ２０９）。次いで、処理はＳ２１１に進む。
【００７１】
Ｓ２０８の処理において測定装置の機種が単一ではないことを示すと判定される（Ｓ２０８−ＮＯ）と、第２表示情報生成部２４４は、治療情報を空白とした第２表示情報を生成する（Ｓ２１０）。次いで、処理はＳ２１１に進む。
【００７２】
図９（ａ）はＳ２０９の処理により生成される第１表示情報に対応する画像の一例を示す図であり、図９（ｂ）はＳ２１０の処理により生成される第２表示情報に対応する画像の一例を示す図である。
【００７３】
第１表示情報９０１は、患者識別子「Ｐｘｘｘｘ１」で識別される「加藤一郎」及び患者識別子「Ｐｘｘｘｘ２」で識別される「小林三子」の２０１８年７月３０日の「圧力」を示す。第１表示情報９０１は、Ｓ１０２の処理において取得された表示指示に基づいて、生成される。
【００７４】
２０１８年７月１日の時点では、患者識別子「Ｐｘｘｘｘ１」で識別される「加藤一郎」が使用する測定装置の機種「Ａ０１」と、患者識別子「Ｐｘｘｘｘ２」で識別される「小林三子」が使用する測定装置の機種「Ｂ０１」とは、相違する。第２表示情報生成部２４４は、異なる機種で測定された「圧力」が含まれるため、「圧力」を空白とした第２表示情報を生成する。
【００７５】
情報判定部２４０は、表示情報が患者比較情報を含むことを示す指示が含まれていないと判定する（Ｓ２０７−ＮＯ）と、Ｓ１０２の処理において取得された表示指示に、表示指示が治療情報を演算した指標を含むことを示す指示が含まれているか否かを判定する（Ｓ２１１）。情報判定部２４０は、表示指示が治療情報を演算した指標を含むことを示す指示が含まれていると判定する（Ｓ２１１−ＹＥＳ）と、Ｓ１０４の処理における機種判定部２３の判定結果が測定装置の機種が単一であることを示すか否かを判定する（Ｓ２１２）。情報判定部２４０は、Ｓ１０４の処理における機種判定部２３による判定結果が、表示情報に含まれる治療情報が測定された期間において、表示情報に含まれる患者に関連付けられた治療情報を測定した測定装置の機種が単一であることを示すか否かを判定する。
【００７６】
Ｓ２１２の処理において測定装置の機種が単一であることを示すと判定される（Ｓ２１２−ＹＥＳ）と、第１表示情報生成部２４１は、Ｓ１０２の処理において取得された表示指示に基づいて、第１表示情報を生成する（Ｓ２１３）。そして、処理は終了する。
【００７７】
Ｓ２１２の処理において測定装置の機種が単一ではないことを示すと判定される（Ｓ２１２−ＮＯ）と、機種抽出部２４２は、治療情報のそれぞれを測定した機種を、治療情報と関連付けて抽出する（Ｓ２１４）。次いで、最新機種決定部２４３は、機種抽出部２４２によって抽出された機種の中で、最新の治療情報を測定した測定装置の機種である最新機種を決定する（Ｓ２１５）。次いで、第２表示情報生成部２４４は、最新機種決定部２４３によって最新機種に決定された機種に対応する測定装置によって測定された治療情報に第２表示情報を生成する（Ｓ２１６）。具体的には、第２表示情報生成部２４４は、最新機種によって測定された治療情報から演算された指標を含むように、第２表示情報を生成する。そして、処理は終了する。
【００７８】
図１０（ａ）はＳ２１３の処理により生成される第１表示情報に対応する画像の一例を示す図であり、図１０（ｂ）はＳ２１６の処理により生成される第２表示情報に対応する画像の一例を示す図である。
【００７９】
第１表示情報１００１は、患者識別子「Ｐｘｘｘｘ１」で識別される「加藤一郎」の２０１８年７月１日から２０１８年７月３０日までの「圧力」の平均値を示す。第１表示情報１００１は、Ｓ１０２の処理において取得された表示指示に基づいて、生成される。
【００８０】
第２表示情報１００２は、患者識別子「Ｐｘｘｘｘ２」で識別される「小林三子」の２０１８年７月１日から２０１８年７月３０日までの「圧力」の平均値を示す。機種抽出部２４２は、患者識別子「Ｐｘｘｘｘ２」で識別される「小林三子」の２０１８年７月１日から２０１８年７月３０日までの治療情報のそれぞれを測定した機種を、「圧力」と関連付けて抽出する。機種抽出部２４２は、機種テーブル１３１を参照して、機種識別子「Ｂ０１」を２０１８年７月１日から２０１８年７月１９日までの「圧力」に関連付けて抽出する。併せて、機種抽出部２４２は、機種テーブル１３１を参照して、機種識別子「Ａ０１」を２０１８年７月２０日から２０１８年７月３０日までの「圧力」に関連付けて抽出する。最新機種決定部２４３は、最新の日にちである２０１８年７月３０日に関連付けられて抽出された機種識別子「Ａ０１」に対応する測定装置１０２ｂを最新機種に決定する。第２表示情報生成部２４４は、機種識別子「Ａ０１」に対応する測定装置１０２ｂによって測定された２０１８年７月２０日から２０１８年７月３０日までの「圧力」の平均値を表示するように、第２表示情報１００２を生成する。
【００８１】
情報判定部２４０によって表示指示が治療情報を演算した指標を含むことを示す指示が含まれていないと判定される（Ｓ２１１−ＮＯ）と、処理は終了する。
【００８２】
（表示情報生成装置１の作用効果）
表示情報生成装置１は、交換された測定装置１０１ｂで測定された治療情報を表示しないように表示情報を生成するので、測定装置１０１ｂを測定装置１０２ｂへ交換することによる治療情報の変化が患者の症状の変化と誤認されるおそれを低くすることができる。
【００８３】
（第２実施形態に係る表示情報生成装置の構成及び機能）
図１１は、第２実施形態に係る表示情報生成装置のブロック図である。表示情報生成装置２は、表示情報生成システム１００において、第１実施形態に係る表示情報生成装置１の代わりに配置される。表示情報生成装置２は、携帯電話網１２０を介して複数の測定装置１０１ａ〜１０１ｎ及び測定装置１０２等に通信可能に接続される。また、表示情報生成装置２は、通信ネットワーク１３０を介して医療機関端末１１０ａ〜１１０ｍ等に通信可能に接続される。
【００８４】
表示情報生成装置２は、サーバ処理部３０をサーバ処理部２０の代わりに有することが表示情報生成装置１と相違する。サーバ処理部３０以外の表示情報生成装置２の構成要素の構成及び機能は、同一符号が付された表示情報生成装置１の構成要素の構成及び機能と同一なので、ここでは詳細な説明は省略する。
【００８５】
サーバ処理部３０は、表示情報生成部３４を表示情報生成部２４の代わりに有することがサーバ処理部２０と相違する。表示情報生成部３４以外のサーバ処理部３０の構成要素の構成及び機能は、同一符号が付されたサーバ処理部２０の構成要素の構成及び機能と同一なので、ここでは詳細な説明は省略する。
【００８６】
表示情報生成部３４は、情報判定部３４０と、第１表示情報生成部３４１と、機種抽出部３４２と、選択確認情報出力部３４３と、選択指示取得部３４４と、第２表示情報生成部３４５とを有する。これらの各部は、サーバ処理部３０が備えるプロセッサで実行されるプログラムにより実現される機能モジュールである。あるいは、これらの各部は、ファームウェアとして表示情報生成装置２に実装されてもよい。
【００８７】
（第２実施形態に係る表示情報生成システムによる表示情報生成処理）
図１２は、表示情報生成装置２を表示情報生成装置１の代わりに有する第２実施形態に係る表示情報生成システムによる表示情報生成処理のシーケンス図である。図１２に示す表示情報生成処理は、表示情報生成装置２と医療機関端末１１０ａとの間で実行される場合を示すが、表示情報生成装置２と医療機関端末１１０ｂ〜１１０ｍとの間で実行される場合も、同様な処理が実行される。
【００８８】
まず、指示出力部１１６は、担当医による端末入力部１１３による入力に応じた表示指示を表示情報生成装置２に出力する（Ｓ３０１）。次いで、表示指示取得部２１は、Ｓ３０１の処理によって指示出力部１１６から出力された表示指示を取得する（Ｓ３０２）。次いで、機種情報取得部２２は、機種テーブル１３１を参照して、表示指示において表示することが指示された治療情報を測定した測定装置の機種を示す機種情報を取得する（Ｓ３０３）。次いで、機種判定部２３は、Ｓ３０３の処理で取得された機種情報に対応する機種が単一であるか否かを判定する（Ｓ３０４）。機種判定部２３によって機種情報に対応する機種が単一であると判定される（Ｓ３０４−ＹＥＳ）と、処理はＳ３１０に進む。
【００８９】
機種判定部２３によって機種情報に対応する機種が単一ではないと判定される（Ｓ３０４−ＮＯ）と、選択確認情報出力部３４３は、何れの機種に関連付けられた治療情報を表示するかを選択する表示を示す選択確認情報を出力する（Ｓ３０５）。選択確認情報出力部３４３は、選択確認情報を医療機関端末１１０ａに送信する。
【００９０】
次いで、情報取得部１１７は、Ｓ３０５の処理において選択確認情報出力部３４３によって出力された選択確認情報を取得する（Ｓ３０６）。次いで、表示指示部１１８は、Ｓ２０６の処理によって情報取得部１１７によって取得された選択確認情報を含む表示指示を端末出力部１１４に出力する（Ｓ３０７）。端末出力部１１４は、選択確認情報に対応する画像を表示する。
【００９１】
次いで、指示出力部１１６は、何れの機種に関連付けられた治療情報を表示するかを示す選択指示を表示情報生成装置２に出力する（Ｓ３０８）。選択指示は、選択確認情報に対応する画像を視認した担当医による端末入力部１１３による入力に応じた指示である。次いで、選択指示取得部３４４は、Ｓ３０８の処理によって指示出力部１１６から出力された選択指示を取得する（Ｓ３０９）。
【００９２】
次いで、表示情報生成部３４は、Ｓ３０４の処理における機種判定部２３の判定結果に応じて、表示情報を生成する（Ｓ３１０）。表示情報生成部３４は、Ｓ３０４の処理において機種判定部２３によって機種が単一であると判定されたときに、第１表示形式によって表示される第１表示情報を表示情報として生成する。第１表示情報は、Ｓ３０９の処理において取得した選択指示に応じて変化しない情報である。一方、表示情報生成部３４は、Ｓ３０４の処理において機種判定部２３によって機種が単一ではないと判定されたときに、第１表示形式と異なる第２表示形式によって表示される第２表示情報を表示情報として生成する。第２表示情報は、選択指示に応じた情報である。
【００９３】
次いで、表示情報出力部２５は、Ｓ３１０の処理において表示情報生成部２４によって生成された表示情報を出力する（Ｓ３１１）。すなわち、表示情報出力部２５は、表示情報を医療機関端末１１０ａに送信する。次いで、情報取得部１１７は、Ｓ３１１の処理によって表示情報出力部２５から出力された表示情報を取得する（Ｓ３１２）。そして、表示指示部１１８は、Ｓ３１２の処理によって情報取得部１１７によって取得された表示情報を含む表示指示を端末出力部１１４に出力する（Ｓ３１３）。端末出力部１１４は、表示情報に対応する画像を表示する。
【００９４】
図１３は、Ｓ３１０のより詳細な処理を示すフローチャートである。
【００９５】
まず、情報判定部２４０は、Ｓ３０２の処理において取得された表示指示に、表示情報が期間比較情報を含むことを示す指示が含まれているか否かを判定する（Ｓ４０１）。情報判定部２４０は、表示情報が期間比較情報を含むことを示す指示が含まれていると判定する（Ｓ４０１−ＹＥＳ）と、Ｓ３０４の処理における機種判定部２３の判定結果が測定装置の機種が単一であることを示すか否かを判定する（Ｓ４０２）。
【００９６】
Ｓ４０２の処理において測定装置の機種が単一であることを示すと判定される（Ｓ４０２−ＹＥＳ）と、第１表示情報生成部３４１は、Ｓ３０２の処理において取得された表示指示に基づいて、第１表示情報を生成する（Ｓ４０３）。次いで、処理はＳ４０６に進む。
【００９７】
Ｓ４０２の処理において測定装置の機種が単一ではないことを示すと判定される（Ｓ４０２−ＮＯ）と、機種抽出部３４２は、治療情報のそれぞれを測定した機種を、治療情報と関連付けて抽出する（Ｓ４０４）。次いで、第２表示情報生成部２４４は、機種抽出部３４２によって抽出された機種毎に、治療情報を表示する表示態様が異なるように第２表示情報を生成する（Ｓ４０５）。具体的には、第２表示情報生成部３４５は、選択指示によって表示されることが示された治療情報を表示し、且つ選択指示によって表示されることが示されなかった治療情報を表示しないように、第２表示情報を生成する。次いで、処理はＳ４０６に進む。
【００９８】
図１４（ａ）は、Ｓ４０３の処理により生成される第１表示情報に対応する画像の一例を示す図である。図１４（ｂ）はＳ４０５の処理により生成される第２表示情報に対応する画像の一例を示す図である。図１４（ｃ）はＳ４０５の処理により生成される第２表示情報に対応する画像の他の例を示す図である。
【００９９】
第１表示情報１４０１は、患者識別子「Ｐｘｘｘｘ１」で識別される「加藤一郎」の「圧力」の２０１８年７月１日から２０１８年７月３０日までの経時変化を示す。第１表示情報１４０１は、第１実施形態における第１表示情報８０１と同様に、Ｓ３０２の処理において取得された表示指示に基づいて、生成される。
【０１００】
第２表示情報１４０２は、選択指示が、機種識別子「Ａ０１」に関連付けられた治療情報を表示することを示すときの、患者識別子「Ｐｘｘｘｘ２」で識別される「小林三子」の「圧力」の２０１８年７月１日から２０１８年７月３０日までの経時変化を示す。第２表示情報生成部３４５は、選択指示によって表示されることが示された機種識別子「Ａ０１」に関連付けられた治療情報を表示するように、第２表示情報１４０２を生成する。一方、選択指示によって表示されることが示されなかった機種識別子「Ｂ０１」に関連付けられた治療情報を表示しないように、第２表示情報１４０２を生成する。
【０１０１】
第２表示情報１４０３は、選択指示が、機種識別子「Ｂ０１」に関連付けられた治療情報を表示することを示すときの、患者識別子「Ｐｘｘｘｘ２」で識別される「小林三子」の「圧力」の２０１８年７月１日から２０１８年７月３０日までの経時変化を示す。第２表示情報生成部３４５は、選択指示によって表示されることが示された機種識別子「Ｂ０１」に関連付けられた治療情報を表示するように、第２表示情報１４０３を生成する。一方、選択指示によって表示されることが示されなかった機種識別子「Ａ０１」に関連付けられた治療情報を表示しないように、第２表示情報１４０３を生成する。
【０１０２】
情報判定部２４０は、表示情報が期間比較情報を含むことを示す指示が含まれていないと判定する（Ｓ４０１−ＮＯ）と、Ｓ３０２の処理において取得された表示指示に、表示情報が患者比較情報を含むことを示す指示が含まれているか否かを判定する（Ｓ４０６）。情報判定部２４０は、表示情報が患者比較情報を含むことを示す指示が含まれていると判定する（Ｓ４０６−ＹＥＳ）と、Ｓ３０４の処理における機種判定部２３の判定結果が測定装置の機種が単一であることを示すか否かを判定する（Ｓ４０７）。
【０１０３】
Ｓ４０６の処理において測定装置の機種が単一であることを示すと判定される（Ｓ４０７−ＹＥＳ）と、第１表示情報生成部３４１は、Ｓ３０２の処理において取得された表示指示に基づいて、第１表示情報を生成する（Ｓ４０８）。次いで、処理はＳ４１１に進む。
【０１０４】
Ｓ４０７の処理において測定装置の機種が単一ではないことを示すと判定される（Ｓ４０７−ＮＯ）と、機種抽出部３４２は、治療情報のそれぞれを測定した機種を、治療情報と関連付けて抽出する（Ｓ４０９）。次いで、第２表示情報生成部３４５は、機種抽出部３４２によって抽出された機種毎に、治療情報を表示する表示態様が異なるように第２表示情報を生成する（Ｓ４１０）。具体的には、第２表示情報生成部３４５は、選択指示によって表示されることが示された治療情報を表示し、且つ選択指示によって表示されることが示されなかった治療情報を表示しないように、第２表示情報を生成する。次いで、処理はＳ４１１に進む。
【０１０５】
図１５（ａ）は、Ｓ４０８の処理により生成される第１表示情報に対応する画像の一例を示す図である。図１５（ｂ）はＳ４１０の処理により生成される第２表示情報に対応する画像の一例を示す図であり、図１５（ｃ）はＳ４１０の処理により生成される第２表示情報に対応する画像の他の例を示す図である。
【０１０６】
第１表示情報１５０１は、患者識別子「Ｐｘｘｘｘ１」で識別される「加藤一郎」及び患者識別子「Ｐｘｘｘｘ２」で識別される「小林三子」の２０１８年７月３０日の「圧力」を示す。第１表示情報１５０１は、第１実施形態における第１表示情報９０１と同様に、Ｓ３０２の処理において取得された表示指示に基づいて、生成される。
【０１０７】
第２表示情報１５０２は、選択指示が、機種識別子「Ａ０１」に関連付けられた治療情報を表示することを示すときの「加藤一郎」及び「小林三子」の２０１８年７月１日の「圧力」を示す。第２表示情報生成部３４５は、選択指示によって表示されることが示された機種識別子「Ａ０１」に関連付けられた「加藤一郎」の治療情報を表示するように、第２表示情報１５０２を生成する。一方、第２表示情報生成部３４５は、選択指示によって表示されることが示されなかった機種識別子「Ｂ０１」に関連付けられた「小林三子」の治療情報を表示しないように、第２表示情報１５０２を生成する。
【０１０８】
第２表示情報１５０３は、選択指示が、機種識別子「Ｂ０１」に関連付けられた治療情報を表示することを示すときの「加藤一郎」及び「小林三子」の２０１８年７月１日の「圧力」を示す。第２表示情報生成部３４５は、選択指示によって表示されることが示された機種識別子「Ｂ０１」に関連付けられた「小林三子」の治療情報を表示するように、第２表示情報１５０３を生成する。一方、選択指示によって表示されることが示されなかった機種識別子「Ａ０１」に関連付けられた「加藤一郎」の治療情報を表示しないように、第２表示情報１５０３を生成する。
【０１０９】
情報判定部２４０は、表示情報が患者比較情報を含むことを示す指示が含まれていないと判定する（Ｓ４０６−ＮＯ）と、Ｓ３０２の処理において取得された表示指示に、表示指示が治療情報を演算した指標を含むことを示す指示が含まれているか否かを判定する（Ｓ４１１）。情報判定部２４０は、表示指示が治療情報を演算した指標を含むことを示す指示が含まれていると判定する（Ｓ４１１−ＹＥＳ）と、Ｓ３０４の処理における機種判定部２３の判定結果が測定装置の機種が単一であることを示すか否かを判定する（Ｓ４１２）。情報判定部２４０は、Ｓ３０４の処理における機種判定部２３による判定結果が、表示情報に含まれる治療情報が測定された期間において、表示情報に含まれる患者に関連付けられた治療情報を測定した測定装置の機種が単一であることを示すか否かを判定する。
【０１１０】
Ｓ４１２の処理において測定装置の機種が単一であることを示すと判定される（Ｓ４１２−ＹＥＳ）と、第１表示情報生成部３４１は、Ｓ３０２の処理において取得された表示指示に基づいて、第１表示情報を生成する（Ｓ４１３）。そして、処理は終了する。
【０１１１】
Ｓ４１２の処理において測定装置の機種が単一ではないことを示すと判定される（Ｓ４１２−ＮＯ）と、機種抽出部３４２は、治療情報のそれぞれを測定した機種を、治療情報と関連付けて抽出する（Ｓ４１４）。次いで、第２表示情報生成部２４４は、機種抽出部３４２によって抽出された機種毎に、治療情報を表示する表示態様が異なるように第２表示情報を生成する（Ｓ４１５）。具体的には、第２表示情報生成部２４４は、選択指示によって表示されることが示された治療情報から演算された指標を含むように、第２表示情報を生成する。そして、処理は終了する。
【０１１２】
図１６（ａ）は、Ｓ４１３の処理により生成される第１表示情報に対応する画像の一例を示す図である。図１６（ｂ）はＳ４１５の処理により生成される第２表示情報に対応する画像の一例を示す図であり、図１６（ｃ）はＳ４１５の処理により生成される第２表示情報に対応する画像の他の例を示す図である。
【０１１３】
第１表示情報１６０１は、患者識別子「Ｐｘｘｘｘ１」で識別される「加藤一郎」の２０１８年７月１日から２０１８年７月３０日までの「圧力」の平均値を示す。第１表示情報１６０１は、Ｓ３０２の処理において取得された表示指示に基づいて、生成される。
【０１１４】
第２表示情報１６０２は、選択指示が、機種識別子「Ｂ０１」に関連付けられた治療情報を表示することを示すときの「小林三子」の２０１８年７月１日から２０１８年７月３０日までの「圧力」の平均値を示す。第２表示情報生成部３４５は、選択指示によって表示されることが示された機種識別子「Ｂ０１」に関連付けられた２０１８年７月１日から２０１８年７月１９日までの「小林三子」の「圧力」の平均値を表示するように、第２表示情報１６０２を生成する。一方、選択指示によって表示されることが示されなかった機種識別子「Ａ０１」に関連付けられた２０１８年７月２０日から２０１８年７月３０日までの「小林三子」の「圧力」は、平均値の演算に使用されない。
【０１１５】
第２表示情報１６０３は、選択指示が、機種識別子「Ａ０１」に関連付けられた治療情報を表示することを示すときの「小林三子」の２０１８年７月１日から２０１８年７月３０日までの「圧力」の平均値を示す。第２表示情報生成部３４５は、選択指示によって表示されることが示された機種識別子「Ａ０１」に関連付けられた２０１８年７月２０日から２０１８年７月３０日までの「小林三子」の「圧力」の平均値を表示するように、第２表示情報１６０２を生成する。一方、選択指示によって表示されることが示されなかった機種識別子「Ｂ０１」に関連付けられた２０１８年７月１日から２０１８年７月１９日までの「小林三子」の「圧力」は、平均値の演算に使用されない。
【０１１６】
情報判定部２４０によって表示指示が治療情報を演算した指標を含むことを示す指示が含まれていないと判定される（Ｓ４１１−ＮＯ）と、処理は終了する。
【０１１７】
（表示情報生成装置２の作用効果）
表示情報生成装置２は、選択指示に応じた治療情報を表示するように表示情報を生成するので、測定装置１０１ｂを測定装置１０２ｂへ交換することによる治療情報の変化が患者の症状の変化と誤認されるおそれを低くすることができる。
【０１１８】
（第３実施形態に係る表示情報生成装置の構成及び機能）
図１７は、第３実施形態に係る表示情報生成装置のブロック図である。表示情報生成装置３は、表示情報生成システム１００において、第１実施形態に係る表示情報生成装置１の代わりに配置される。表示情報生成装置３は、携帯電話網１２０を介して複数の測定装置１０１ａ〜１０１ｎ及び測定装置１０２等に通信可能に接続される。また、表示情報生成装置３は、通信ネットワーク１３０を介して医療機関端末１１０ａ〜１１０ｍ等に通信可能に接続される。
【０１１９】
表示情報生成装置３は、サーバ処理部４０をサーバ処理部２０の代わりに有することが表示情報生成装置１と相違する。サーバ処理部４０以外の表示情報生成装置２の構成要素の構成及び機能は、同一符号が付された表示情報生成装置１の構成要素の構成及び機能と同一なので、ここでは詳細な説明は省略する。
【０１２０】
サーバ処理部４０は、表示情報生成部４４を表示情報生成部２４の代わりに有することがサーバ処理部２０と相違する。表示情報生成部４４以外のサーバ処理部４０の構成要素の構成及び機能は、同一符号が付されたサーバ処理部２０の構成要素の構成及び機能と同一なので、ここでは詳細な説明は省略する。
【０１２１】
表示情報生成部４４は、情報判定部４４０と、第１表示情報生成部４４１と、機種抽出部４４２と、第２表示情報生成部４４３とを有する。これらの各部は、サーバ処理部４０が備えるプロセッサで実行されるプログラムにより実現される機能モジュールである。あるいは、これらの各部は、ファームウェアとして表示情報生成装置３に実装されてもよい。
【０１２２】
（第３実施形態に係る表示情報生成システムによる表示情報生成処理）
図１８は、表示情報生成装置３を表示情報生成装置１の代わりに有する第２実施形態に係る表示情報生成システムによる表示情報生成処理のシーケンス図である。図１８に示す表示情報生成処理は、表示情報生成装置３と医療機関端末１１０ａとの間で実行される場合を示すが、表示情報生成装置３と医療機関端末１１０ｂ〜１１０ｍとの間で実行される場合も、同様な処理が実行される。
【０１２３】
まず、指示出力部１１６は、担当医による端末入力部１１３による入力に応じた表示指示を表示情報生成装置３に出力する（Ｓ５０１）。次いで、表示指示取得部２１は、Ｓ５０１の処理によって指示出力部１１６から出力された表示指示を取得する（Ｓ５０２）。次いで、機種情報取得部２２は、機種テーブル１３１を参照して、表示指示において表示することが指示された治療情報を測定した測定装置の機種を示す機種情報を取得する（Ｓ５０３）。次いで、機種判定部２３は、Ｓ５０３の処理で取得された機種情報に対応する機種が単一であるか否かを判定する（Ｓ５０４）。
【０１２４】
次いで、表示情報生成部４４は、Ｓ５０４の処理における機種判定部２３の判定結果に応じて、表示情報を生成する（Ｓ５０５）。表示情報生成部４４は、Ｓ５０４の処理において機種判定部２３によって機種が単一であると判定されたときに、第１表示形式によって表示される第１表示情報を表示情報として生成する。一方、表示情報生成部４４は、Ｓ５０４の処理において機種判定部２３によって機種が単一ではないと判定されたときに、第１表示形式と異なる第２表示形式によって表示される第２表示情報を表示情報として生成する。
【０１２５】
次いで、表示情報出力部２５は、Ｓ５０５の処理において表示情報生成部２４によって生成された表示情報を出力する（Ｓ５０６）。すなわち、表示情報出力部２５は、表示情報を医療機関端末１１０ａに送信する。次いで、情報取得部１１７は、Ｓ３１１の処理によって表示情報出力部２５から出力された表示情報を取得する（Ｓ５０７）。そして、表示指示部１１８は、Ｓ５０７の処理によって情報取得部１１７によって取得された表示情報を含む表示指示を端末出力部１１４に出力する（Ｓ５０８）。端末出力部１１４は、表示情報に対応する画像を表示する。
【０１２６】
図１３は、Ｓ５０５のより詳細な処理を示すフローチャートである。
【０１２７】
まず、情報判定部２４０は、Ｓ５０２の処理において取得された表示指示に、表示情報が期間比較情報を含むことを示す指示が含まれているか否かを判定する（Ｓ６０１）。情報判定部２４０は、表示情報が期間比較情報を含むことを示す指示が含まれていると判定する（Ｓ６０１−ＹＥＳ）と、Ｓ５０４の処理における機種判定部２３の判定結果が測定装置の機種が単一であることを示すか否かを判定する（Ｓ６０２）。
【０１２８】
Ｓ６０２の処理において測定装置の機種が単一であることを示すと判定される（Ｓ６０２−ＹＥＳ）と、第１表示情報生成部４４１は、Ｓ５０２の処理において取得された表示指示に基づいて、第１表示情報を生成する（Ｓ６０３）。次いで、処理はＳ６０６に進む。
【０１２９】
Ｓ６０２の処理において測定装置の機種が単一ではないことを示すと判定される（Ｓ６０２−ＮＯ）と、機種抽出部４４２は、治療情報のそれぞれを測定した機種を、治療情報と関連付けて抽出する（Ｓ６０４）。次いで、第２表示情報生成部２４４は、機種抽出部４４２によって抽出された機種毎に、治療情報を表示する表示態様が異なるように第２表示情報を生成する（Ｓ６０５）。次いで、処理はＳ６０６に進む。
【０１３０】
図２０（ａ）は、Ｓ６０３の処理により生成される第１表示情報に対応する画像の一例を示す図であり、図２０（ｂ）はＳ６０５の処理により生成される第２表示情報に対応する画像の一例を示す図である。
【０１３１】
第１表示情報２００１は、患者識別子「Ｐｘｘｘｘ１」で識別される「加藤一郎」の「圧力」の２０１８年７月１日から２０１８年７月３０日までの経時変化を示す。第１表示情報２００１は、第１実施形態における第１表示情報８０１と同様に、Ｓ５０２の処理において取得された表示指示に基づいて、生成される。
【０１３２】
第２表示情報２００２は、患者識別子「Ｐｘｘｘｘ２」で識別される「小林三子」の「圧力」の２０１８年７月１日から２０１８年７月３０日までの経時変化を示す。機種抽出部４４２は、患者識別子「Ｐｘｘｘｘ２」で識別される「小林三子」の２０１８年７月１日から２０１８年７月３０日までの治療情報のそれぞれを測定した機種を、「圧力」と関連付けて抽出する。機種抽出部４４２は、機種テーブル１３１を参照して、機種識別子「Ｂ０１」を２０１８年７月１日から２０１８年７月１９日までの「圧力」に関連付けて抽出する。併せて、機種抽出部４４２は、機種テーブル１３１を参照して、機種識別子「Ａ０１」を２０１８年７月２０日から２０１８年７月３０日までの「圧力」に関連付けて抽出する。第２表示情報生成部４４３は、２０１８年７月１日から２０１８年７月１９日までの「圧力」を示すグラフを黒塗りにし、２０１８年７月２０日から２０１８年７月３０日までの「圧力」を示すグラフを白塗りにして第２表示情報２００２を生成する。
【０１３３】
情報判定部２４０は、表示情報が期間比較情報を含むことを示す指示が含まれていないと判定する（Ｓ６０１−ＮＯ）と、Ｓ５０２の処理において取得された表示指示に、表示情報が患者比較情報を含むことを示す指示が含まれているか否かを判定する（Ｓ６０６）。情報判定部２４０は、表示情報が患者比較情報を含むことを示す指示が含まれていると判定する（Ｓ６０６−ＹＥＳ）と、Ｓ５０４の処理における機種判定部２３の判定結果が測定装置の機種が単一であることを示すか否かを判定する（Ｓ６０７）。
【０１３４】
Ｓ６０７の処理において測定装置の機種が単一であることを示すと判定される（Ｓ６０７−ＹＥＳ）と、第１表示情報生成部３４１は、Ｓ５０２の処理において取得された表示指示に基づいて、第１表示情報を生成する（Ｓ６０８）。次いで、処理はＳ６１１に進む。
【０１３５】
Ｓ６０７の処理において測定装置の機種が単一ではないことを示すと判定される（Ｓ６０７−ＮＯ）と、機種抽出部４４２は、治療情報のそれぞれを測定した機種を、治療情報と関連付けて抽出する（Ｓ６０９）。次いで、第２表示情報生成部４４３は、機種抽出部４４２によって抽出された機種毎に、治療情報を表示する表示態様が異なるように第２表示情報を生成する（Ｓ６１０）。次いで、処理はＳ６１１に進む。
【０１３６】
図２１（ａ）はＳ６０８の処理により生成される第１表示情報に対応する画像の一例を示す図であり、図２１（ｂ）はＳ６１０の処理により生成される第２表示情報に対応する画像の一例を示す図である。
【０１３７】
第１表示情報２１０１は、患者識別子「Ｐｘｘｘｘ１」で識別される「加藤一郎」及び患者識別子「Ｐｘｘｘｘ２」で識別される「小林三子」の２０１８年７月３０日の「圧力」を示す。第１表示情報１５０１は、第１実施形態における第１表示情報９０１と同様に、Ｓ５０２の処理において取得された表示指示に基づいて、生成される。
【０１３８】
第２表示情報２１０２は、患者識別子「Ｐｘｘｘｘ１」及び「Ｐｘｘｘｘ２」で識別される「加藤一郎」及び「小林三子」の２０１８年７月１日の「圧力」を示す。第２表示情報生成部４４３は、機種識別子「Ａ０１」に関連付けられた「加藤一郎」の治療情報をゴシック形式の書体で表示するように、第２表示情報２１０２を生成する。一方、第２表示情報生成部４４３は、機種識別子「Ｂ０１」に関連付けられた「小林三子」の治療情報をイタリック形式の書体で表示するように、第２表示情報２１０２を生成する。
【０１３９】
情報判定部２４０は、表示情報が患者比較情報を含むことを示す指示が含まれていないと判定する（Ｓ６０６−ＮＯ）と、Ｓ５０２の処理において取得された表示指示に、表示指示が治療情報を演算した指標を含むことを示す指示が含まれているか否かを判定する（Ｓ６１１）。情報判定部２４０は、表示指示が治療情報を演算した指標を含むことを示す指示が含まれていると判定する（Ｓ６１１−ＹＥＳ）と、Ｓ５０４の処理における機種判定部２３の判定結果が測定装置の機種が単一であることを示すか否かを判定する（Ｓ６１１）。情報判定部２４０は、Ｓ５０４の処理における機種判定部２３による判定結果が、表示情報に含まれる治療情報が測定された期間において、表示情報に含まれる患者に関連付けられた治療情報を測定した測定装置の機種が単一であることを示すか否かを判定する。
【０１４０】
Ｓ６１２の処理において測定装置の機種が単一であることを示すと判定される（Ｓ６１２−ＹＥＳ）と、第１表示情報生成部３４１は、Ｓ５０２の処理において取得された表示指示に基づいて、第１表示情報を生成する（Ｓ６１３）。そして、処理は終了する。
【０１４１】
Ｓ６１２の処理において測定装置の機種が単一ではないことを示すと判定される（Ｓ６１２−ＮＯ）と、機種抽出部４４２は、治療情報のそれぞれを測定した機種を、治療情報と関連付けて抽出する（Ｓ６１４）。次いで、第２表示情報生成部４４３は、機種抽出部４４２によって抽出された機種毎に演算した指標を表示するように第２表示情報を生成する（Ｓ６１５）。そして、処理は終了する。
【０１４２】
図２２（ａ）はＳ６１３の処理により生成される第１表示情報に対応する画像の一例を示す図であり、図２２（ｂ）はＳ６１５の処理により生成される第２表示情報に対応する画像の一例を示す図である。
【０１４３】
第１表示情報２２０１は、患者識別子「Ｐｘｘｘｘ１」で識別される「加藤一郎」の２０１８年７月１日から２０１８年７月３０日までの「圧力」の平均値を示す。第１表示情報２２０１は、Ｓ５０２の処理において取得された表示指示に基づいて、生成される。
【０１４４】
第２表示情報２２０２は、患者識別子「Ｐｘｘｘｘ２」で識別される「小林三子」の２０１８年７月１日から２０１８年７月３０日までの「圧力」の平均値を示す。機種抽出部４４２は、患者識別子「Ｐｘｘｘｘ２」で識別される「小林三子」の２０１８年７月１日から２０１８年７月３０日までの治療情報のそれぞれを測定した機種を、「圧力」と関連付けて抽出する。機種抽出部４４２は、機種テーブル１３１を参照して、機種識別子「Ｂ０１」を２０１８年７月１日から２０１８年７月１９日までの「圧力」に関連付けて抽出する。併せて、機種抽出部４４２は、機種テーブル１３１を参照して、機種識別子「Ａ０１」を２０１８年７月２０日から２０１８年７月３０日までの「圧力」に関連付けて抽出する。第２表示情報生成部４４３は、測定装置１０１ｂによって測定された「圧力」の平均値、及び測定装置１０２ｂによって測定された「圧力」の平均値の双方を表示するように、第２表示情報１００２を生成する。
【０１４５】
情報判定部２４０によって表示指示が治療情報を演算した指標を含むことを示す指示が含まれていないと判定される（Ｓ６１１−ＮＯ）と、処理は終了する。
【０１４６】
（表示情報生成装置３の作用効果）
表示情報生成装置３は、異なる測定装置で測定された治療情報を異なる表示態様で表示するように表示情報を生成するので、測定装置１０１ｂを測定装置１０２ｂへ交換することによる治療情報の変化が患者の症状の変化と誤認されるおそれを低くすることができる。また、表示情報生成装置３が生成する表示情報は、担当医が異なる機種のデータと認識しながらデータを比較することが出来るため、機種による使用状況の変化、すなわちコンプライアンスを比較して、患者に合った機種を選択し易くなる。
【０１４７】
（実施形態に係る表示情報生成システムの変形例）
表示情報生成装置１〜３は、期間比較情報、患者比較情報及び治療情報を演算した指標を別個に表示する表示情報を生成する。しかしながら、実施形態に係る表示情報生成装置は、期間比較情報、患者比較情報及び治療情報を演算した指標を併せて表示する表示情報を生成してもよい。表示情報は、例えば、複数の患者の７日間又は３０日間に亘る複数の指標を表示する患者一覧情報、並びに単一の患者の３０日に亘る複数の指標及び指標の演算値を表示するサマリグラフ及びグラフレポートであってもよい。また、表示情報は、単一の患者の１年間に亘る複数の指標の変化を示す療養グラフ、複数の患者の１月当たりの複数の患者の複数の指標を表示する月次レポートであってもよい。実施形態に係る表示情報生成装置は、例えば、複数の患者の所定の期間に亘る複数の指標を表示する患者一覧情報において、交換前の測定装置によって測定された治療情報を示す欄を「旧機台」と表示してもよい。また、実施形態に係る表示情報生成装置は、交換された後に測定装置が未使用であるとき、未使用な期間における治療情報を示す欄を「×」と表示してもよい。また、実施形態に係る表示情報生成装置は、交換された後に測定装置から治療情報が送信されていないとき、治療情報が送信されていない期間における治療情報を示す欄を「−」と表示してもよい。
【０１４８】
また、実施形態に係る表示情報生成装置は、複数の指標を含む第２表示情報を表示情報として生成するときに、交換する前後の測定装置で同一の指標であり、且つ同一の演算アルゴリズムで演算される指標は、測定装置によらず同一の表示形式で表示してもよい。また、実施形態に係る表示情報生成装置は、製造業者が同一であり、且つ機種が異なる測定装置を同一の機種として表示情報を生成してもよい。
【０１４９】
また、実施形態に係る表示情報生成装置は、機種が異なる測定装置が測定した治療情報を換算可能な換算値を使用して第２表示情報を生成してもよい。実施形態に係る表示情報生成装置は、例えば、期間比較情報において、選択された機種に対応する測定装置が測定した治療情報を換算した換算値を表示するように、第２表示情報を生成してもよい。また、実施形態に係る表示情報生成装置は、期間比較情報において、機種が異なる測定装置が測定した治療情報を換算した換算値を、表示態様を変えて同時に表示するように、第２表示情報を生成してもよい。また、実施形態に係る表示情報生成装置は、所定の期間に亘って測定された治療情報を演算した指標を演算するときに、機種が異なる測定装置が測定した治療情報を換算した換算値を使用して指標を演算してもよい。例えば、一方の測定装置の利用率を示す指標が特定期間における使用時間の合計を特定期間の日数で割った数値〔時間／日〕であり、他方の測定装置の利用率を示す指標が特定期間における使用時間が４時間以上の日数を特定期間の日数で割った数値〔日／日〕であるとき、指標は、双方の指標が換算可能なパラメータを介して換算した数値を使用して演算される。同様に、マスクリーク及び圧力値等の一方が数値で示され且つ他方が割合で示される等の同一の情報で指標が異なる２つの指標は、双方の指標が換算可能なパラメータを介して換算した数値を使用して演算される。また、例えば、無呼吸低呼吸指数（AHI）の計算では、無呼吸および低呼吸状態の判定が必要となり、無呼吸および低呼吸状態は、気道閉塞により、呼吸時の気流が通常時よりも小さくなることから判定できる。しかしながら、無呼吸または低呼吸であると判断する閾値（通常時からの気流量の減衰度合）は、機種ごとに判断の基準が異なることがありうる。このような場合でも、それぞれの機種のAHIにあらかじめ算出した相関係数を乗じて、ある特定の機種のAHIに換算することで、同一の指標として一元化することが出来る。相関係数は、例えば、同じ呼吸波形の入力に対して閾値設定の異なるアルゴリズムでAHIを解析し、その際の閾値設定とAHIの数値の関係性から算出することができる。この算出方法は、同じ入力に対する解析結果を必要とするため、実験での算出が必要となるが、別の手法により、実測定データから算出しても良い。例えば、異なる患者の異なる呼吸波形の入力をランダムに扱うことで、２つの異なる機種に対する入力が統計的には均等化されていると考え、出力であるAHIの実測定データの平均値から、２つの機種の出力するAHI間の相関係数を統計的に算出することもできる。また、実施形態に係る表示情報生成装置は、１日又は１月等の間に異なる測定装置によって測定された治療情報を演算した指標を含む表示情報を生成するとき、治療情報を換算可能なパラメータを介して換算した数値を使用して指標を演算してもよい。
【０１５０】
表示情報生成装置３は、第２表示情報において、異なる測定装置で測定された指標を示すグラフの色及び指標の書体を相違させているが、実施形態に係る表示情報生成装置は、異なる測定装置で測定された指標の表示形式を他の方法で相違させてもよい。実施形態に係る表示情報生成装置は、異なる測定装置で測定された指標を示す文字及び文字の背景の色並びにグラフのデータを示す指標の形状を相違させて表示してもよく、異なる測定装置で測定された指標を異なる単位で表示してもよい。
【０１５１】
表示情報生成装置１〜３は、異なる測定装置で測定された指標を含むとき、異なる測定装置で測定された指標から第２表示情報に含まれる指標を演算しているが、実施形態に係る表示情報生成装置は、治療情報を空白とした第２表示情報を生成してもよい。
【０１５２】
また、実施形態に係る表示情報生成装置は、測定装置によって測定された治療情報に加えて、圧設定等の測定装置の設定値を含むように、表示情報を生成してもよい。
【符号の説明】
【０１５３】
１〜３    表示情報生成装置
２０、３０、４０    サーバ処理部
２１    表示指示取得部
２２    機種情報取得部
２３    機種判定部
２４、３４、４４    表示情報生成部
２５    表示情報出力部
１００    表示情報生成システム
１０１、１０２    測定装置
１１０    医療機関端末
【図１】
2020035154.tif 000003
【図２】
2020035154.tif 000004
【図３】
2020035154.tif 000005
【図４】
2020035154.tif 000006
【図５】
2020035154.tif 000007
【図６】
2020035154.tif 000008
【図７】
2020035154.tif 000009
【図８】
2020035154.tif 000010
【図９】
2020035154.tif 000011
【図１０】
2020035154.tif 000012
【図１１】
2020035154.tif 000013
【図１２】
2020035154.tif 000014
【図１３】
2020035154.tif 000015
【図１４】
2020035154.tif 000016
【図１５】
2020035154.tif 000017
【図１６】
2020035154.tif 000018
【図１７】
2020035154.tif 000019
【図１８】
2020035154.tif 000020
【図１９】
2020035154.tif 000021
【図２０】
2020035154.tif 000022
【図２１】
2020035154.tif 000023
【図２２】
2020035154.tif 000024